(57)【要約】【課題】英語の学習者が、より便利、より簡単に英語の発音が習得できるような、英語の発音音標系統の提供。【解決手段】音標の母音発音記号を全音記号と半音記号に分け、更に子音記号を含んでいる。全音記号は英語発音記号の文字にて代表され、半音記号は簡単な記号で代表される。この音標は字典における、従来の発音標示法に適用でき、また、書籍に出現する実際上の文字の発音標示にも使用できる。これにより、この音標系統は英語教材の領域に進出して、学習者の学習効果の向上に貢献するものである。【選択図】なし【特許請求の範囲】
【請求項１】
発音音標系統において、
複数の全音記号の各々が全母音を代表し、かつ完全な音節の発音を代表しえると設定された複数の全音記号と、複数の半音記号の各々が半母音を代表し、かつ前記完全な音節の発音を代表するには不十分と設定された複数の半音記号とを含んだ複数の母音発音記号と、
複数の子音発音記号の各々が子音を代表し、また、前記半音記号は前記子音発音記号と組合わせて、前記完全な音節の発音を代表する複数の子音発音記号と、
複数の組合わされたユニットが系統的に配列され、前記複数の組み合わされたユニットの各々は、子音発音記号と半音記号とを備えた朗読に適する子音発音記号表と、
学習と記憶に便利なように系統的に排列された母音発音記号表とを含むことを特徴とする、英語の発音音標系統。
【請求項２】
前記複数の全音記号の各々は、少なくとも１つの英語のアルファベットで代表され、前記複数の半音記号の各々は簡単な記号で代表されることを特徴とする、請求項１に記載の英語の発音音標系統。
【請求項３】
前記複数の母音発音記号の各々は、１つの母音発音記号名と所定の音声を有し、また、前記複数の母音発音記号は、
2007512576.tif 000034
を含むことを特徴とする、請求項１に記載の英語の発音音標系統。
【請求項４】
前記母音発音記号表は第１群として、前記“a全音”記号、前記“e全音”記号、前記“i全音”記号、前記“o全音”記号と、前記“u全音”記号とを含み、第2群として、前記“a半音”記号、前記“e半音”記号、前記“i半音”記号、前記“o半音”記号と、前記“u半音”記号とを含み、第3群として、前記“oi全音”記号、前記“oo全音”記号、前記“ou全音”記号とを含み、第4群として、前記“o半音プラス”記号、前記“中性半音”記号、と前記“o半音マイナス”記号を含むことを特徴とする、請求項３に記載の英語の発音音標系統。
【請求項５】
前記母音発音記号表は図に示すように、２つの同心円を背景にし、
2007512576.tif 000035
は、前記同心円の外周に排列され、
2007512576.tif 000036
は前記両同心円の間に配置され、
また、
2007512576.tif 000037
は前記同心円内円の内部に配置されていることを特徴とする、請求項３に記載の英語の発音音標系統。
2007512576.tif 000038
【請求項６】
前記子母発音記号の複数の組合わせユニット表は、前記子音発音記号と前記中性半音記号のそれぞれの組合わせを含み、また、以下の図に示すように、前記組合わせユニットはその中に系統的に配置されていることを特徴とする、請求項１に記載の英語の発音音標系統。
2007512576.tif 000039
【請求項７】
前記英語の発音記号系統はさらに、所定の発音のない、“スイング（swing）記号”という第１７名称の
2007512576.tif 000040
を含み、前記“スイング”は前記全音の指示記号を代表し、前記発音記号の標示、または英語単語の組合せ文字を標示するために設けられ、所定の全音を代表することを特徴とする、請求項３に記載の英語の発音音標系統。
【請求項８】
前記母音発音記号の１つが実在の単語の文字に直接標示された場合、前記文字は、前記母音発音記号に代表される前記音声と同様に発音されることを特徴とする、請求項３に記載の英語の発音音標系統。
【請求項９】
前記全音記号の代表に使用される、前記英語のアルファベット文字は、相異なる出処の同音を代表するに適当であることを特徴とする請求項１に記載の英語の発音音標系統。
【発明の詳細な説明】
【技術分野】
【０００１】
本発明は学習教材に関するもので、詳しく言えば、学習者に正確な英語の発音を習得させるための、発音記号の用法に関するものである。
【背景技術】
【０００２】
英語は世界的に広く使用される言語の１つであるため、多数の人がその熟達に熱中しているのが実情である。人々は色々と相異なる方法で学習しているが、就中、英語の発音記号で英語を習得することが最も普通な方法の１つである。目下、一番熟知されている英語音標には、Kenyon-Knott Phonetics, Johns PhoneticsやWebster Phonetics などがある。この３種類の音標は数１０年来使用されているのにも拘わらず、各々ある程度の欠点が存在しているものである。
【０００３】
まず、Kenyon-Knott とJohns Phoneticsの両者は共に、国際発音アルファベット（International Phonetic Alphabet）を発音記号として採用している。IPAは発音記号として他の言語にも通用するという長所があるが、ただ英語だけを習いたい人にとっては、IPAは余計な負担となる。なんとなれば、IPAには多数の一般的でない、誤解されやすい記号が含まれ、その英語のアルファベットにおいての多くの記号は相異なる発音を持っているからである。
【０００４】
また、Websterの発音記号は非常に複雑である故、一般としては通用しにくい。現在字典に見受けられるWebsterの発音記号は簡略化されたものであり、結果として、その原来のものとは比較するすべもない。
【０００５】
さらに、教材として検討すれば、上記の三者には、共通した下記の欠点がある。
【０００６】
１．発音記号名称が不完全のため、教学や学習に不便である。
【０００７】
２．発音上の系統的分析が不備のため、学習者は自分が現在習っている発音に対して完全な概念が得られない。
【０００８】
３．発音記号の用法はただ、字典に乗せられている英語の単語に適用されているのみで、読本に実際現れる文字の発音の標示には不適当である。これはその発音音標の功能の上限といえる。
【０００９】
上記の音標が学習者に充分な援助を提供し得ない事実に鑑み、この新しい英語音標の発明者は、その案出した新英語音標で従来の音標の欠点を改善するのみならず、さらに英語の母音に関する、全音と半音との新しい分類法を提供し、学習者が英語母音の正確な特徴を把握し、適当な英語の発音を習得できるようにした。
【発明の開示】
【発明が解決しようとする課題】
【００１０】
本発明の主な目的は英語の学習者のために、より便利な英語の音標を提供し、正確な発音を習得できるようにする所にある。
【課題を解決するための手段】
【００１１】
上記の目的を達成せんがため、本発明は以下に列挙する特徴を持つ英語の発音音標系統（英語の発音記号の表示方法）を提供した。
【００１２】
１．母音を従来の長音と短音の代わりに、全音と半音に分類した。全音の発音記号は英語のアルファベット文字で代表し、半音は簡単な記号で代表した。
上記の設計では全音と半音の相違を強調し、長音と短音による分類で引起される、学習者の間違った印象、即ち、長音と短音の間は発声の長さのみである、という考えを是正した。
【００１３】
２．この発音記号は字典中の英語単語の発音を標示する従来の方法にも適用出来、また、実在の文字の発音をも直接に標示しえる。このようにして、英語教材としての単語発音の改善に寄与し、文字からその発音を推測することから起る、英語発音上のエラーを少なくした。
【００１４】
３．発音法の系統的な分析と、発音記号の完全なる命名を確立し、学習効果を向上した。
【００１５】
本発明では母音記号と子音記号とを含む英語の発音音標系統を提供し、その英語発音音標には、
【００１６】
各々、複数の完全な音節を代表し、各音節の母音を代表可能と設定された、複数の母音発音記号と、各々、複数の半母音を代表し、かつ各音節の母音を代表するには不十分であると設定された、複数の半音記号とを含み、前記半音記号は、下記の子音発音記号と組合された場合には、完全な音節の発音を代表できると見なされる、即ち：
【００１７】
前記複数の母音発音記号が系統的に排列され学習と記憶に便利な特徴を持った母音発音記号表と、
【００１８】
半音記号を組合わせた子音発音記号を含んだ、複数のユニットを排列して構成された、子音発音記号表とである。
【００１９】
本発明に係わる英語の発音音標系統のその他の特長、優点や応用に関しては、明細書と請求項を参考して、以下説明する実施例の内容をご覧になって頂ければ自ら明瞭になるものであろう。
【発明を実施するための最良の形態】
【００２０】
母音発音記号は全音記号と半音記号に分けられる。全音記号は、英語アルファベットの文字に代表され、完全な音節の発音を代表できる。全音記号は全部で、“a”、“e”、“i”、“o”、“u”、“oi”、“oo”、“ou”の８個の記号があり、その中の“a”、“e”、“i”、“o”と“u”の発音は、それらの英語アルファベットにおける発音と同等である。“oi”は文字“oiｌ”の音“oi”、“oo”は文字“ｔoo”の音“oo”、“ou”は文字“ouｔ”の音“ou”をそれぞれ代表する。それらは完全な音節を表す故、上記の８個の記号は、全音記号と呼称される。
【００２１】
全音記号によって表される発音は、従来の長母音の発音記号にて表されるものと同等である。ただ、全音記号のみが完全な音節の発音を代表できるのである。それらは他の子音と組み合して、色々の完全な音節の発音を代表するのである。
【００２２】
半音記号は簡単な記号で代表され、不完全な音節の発音を表す。半音記号も全部で
【００２３】
2007512576.tif 000002
の８個の記号がある半音記号で代表される発音は、従来の短母音の発音記号で表されるそれらと同等である。そして、半音記号には色々異なる用途がある。半音記号は不完全な音節の母音を表すものと定義され、結果として、完全な音節の発音を単独で代表できなくなり、子音記号に先んじて、共に完全な音節の発音も表せないのである。従来の発音記号の短母音の用法では、これと同様な規則を定めていない。結果として、従来の発音記号の短母音は通常単独に使用され、アクセントの付かない音節の母音を代表するのである。
【００２４】
半音記号の用法は、下記の子音記号と組合わせて使用するものである。この組合わせは、全音記号として、完全な音節の発音を代表する全音記号の機能を”持つものと思考される。また、さらに他の子音記号と組合されて、他の完全な音節の発音を代表する。例えば、
半音記号
【００２５】
2007512576.tif 000003
がその次の子音記号“ｔ”と組合って音
【００２６】
2007512576.tif 000004
を代表し、さらにその前の子音記号“ｓ”と組合って音
【００２７】
2007512576.tif 000005
を代表するなどである。
【００２８】
全音記号は英語アルファベットの文字で代表される、全部で“a”、“e”、“i”、“o”、“u”、“oi”、“oo”、“ou”の８個の記号がある。半音記号は簡単な記号で代表され、全部で
【００２９】
2007512576.tif 000006
の８個の記号がある。
【００３０】
発音記号、応用例と名称を以下の表に示す。
【００３１】
2007512576.tif 000007
【００３２】
2007512576.tif 000008
【００３３】
学習の便宜上、上記の発音記号と名称は比較的対照に設計され、基本である“a”、“e”、“i”、“o”と“u”の全音記号とその対照する半音記号
【００３４】
2007512576.tif 000009
を含んでいる。そして、“ｏ半音プラス”、 “ｏ半音”、 “ｏ半音マイナス”音は１系列の音であり、名称のプラスやマイナスはそれらの間の関係を表徴するものである。
【００３５】
2007512576.tif 000010
は３個の上述の発音記号の１系列である性質を反映している。
【００３６】
上記の１６個の発音記号の外に、この音標にはまた、全音指示記号を含み、その名称は“スイング”と名付ける。この“スイング”記号には既定の発音がない。これは音標の発音または、単語中の文字の組合せの規制に使用されるものである。その作用を以下に示す。
【００３７】
１．これは全音記号に標示され、全音記号の発音特徴を標榜する。“スイング”記号
【００３８】
2007512576.tif 000011
の外観は発音の際、“スイング”の完全な“スイング”移動を表徴する。故に、この発音記号表に“スイング”記号が全音指示記号として入っている由縁である。一例として、“meet”は[met]、または
【００３９】
2007512576.tif 000012
と標示されるが、
【００４０】
2007512576.tif 000013
は明白に学習者に対し、単語の“ee”の発音は、完全な“スイング”という延長移動をすべきであると示唆している。この“スイング”記号
【００４１】
2007512576.tif 000014
英語の初学者に対し、非常に有効な影響を与えるものである。結果として、“スイング”記号
【００４２】
2007512576.tif 000015
と全音記号“a”、“e”、“i”、“o”、“u”、“oi”、“oo”、“ou”などの教材を初学者のために加えることは、適切であると認められる。結局全音記号は
【００４３】
2007512576.tif 000016
という形態で表現されることになる。
【００４４】
２．半音記号にも規制を加えて、半音記号の発音を延長する。規制された半音記号は、全音記号の特徴を与えられることになり、その代表する音を延長して完全な音節のある発音となる。実際の応用では、下記の３つの完全な音節を持つ発音は、全音指示記号により規制された半音記号により代表される。それらには
【００４５】
2007512576.tif 000017
が含まれ、実例として
【００４６】
2007512576.tif 000018
が挙げられる。
【００４７】
３．単語にある文字の組合わせも規制できる。そうすれば、文字の組合せは所定の全音を代表することになる。実際の文字の上に音の標示を適当に加えるのである。例えば、
【００４８】
2007512576.tif 000019
などである。
全音指示記号
【００４９】
2007512576.tif 000020
で標示された凡ての“ea”、 “ee”、 “ey”、 “ei”は同様に“e全音”を表すことを意味するのである。
【００５０】
以下に英語単語のアクセントの付かないものの説明を示す。英語単語中ノーアクセントの母音は非常に軽く発音されるので、自然に音が軽くなる。結局この音標は全音記号を利用して、ノーアクセントの母音を代表することになる。ノーアクセントの音節を含んだ発音に出合った際、これを利用して正確な発音ができる。例えば、
【００５１】
2007512576.tif 000021
がある。ノーアクセントの音節を含むそれらの音は全て、全音記号により代表される。
【００５２】
以下に英語の初学者に適用する、母音発音記号の系統的に整理された表を提供する。結局、全音指示記号
【００５３】
2007512576.tif 000022
は、全音記号にとっては重要なものである。この母音記号図は背景として、２つの同心円からなる。外円の外周には５つの全音記号
【００５４】
2007512576.tif 000023
と、５つの半音音節
【００５５】
2007512576.tif 000024
が配置されている。２つの同心円の間には、３つの全音記号
【００５６】
2007512576.tif 000025
が配置され、内円の中には３つの半円記号
【００５７】
2007512576.tif 000026
が配置されている。全部で１６個の発音記号が一目瞭然に配置されてあり、了解と記憶に便利である。
【００５８】
2007512576.tif 000027
【００５９】
英語の単語内にある子音文字の発音は、大部分文字自身から得られるものである。結局、多数の音標は、その主要な子音発音記号を子音文字に依存している。この音標では、子音記号と、中性の半音との組合せで独特な、子音記号の記憶表を作成した。記憶表の功能は、学習者が記憶に熟達した後、英語の子音発音要領に慣れるようにするためである。
【００６０】
本発明に係わる英語の音標の子音発音記号を以下の表に示す。記号の名称と応用例は括弧内に示した。
【００６１】
2007512576.tif 000028
【００６２】
本音標系統に係わる子音発音記号の記憶リストを以下に示す。
【００６３】
2007512576.tif 000029
【００６４】
本音標系統に係わる母音発音記号の全音記号は、英語アルファベットの文字により、半音記号は簡単な記号でそれぞれ代表される。この設計の特徴は、この音標が直接実際の単語の上に標示可能の所にある。以下それを説明する。
【００６５】
１．単語の文字に同じ音標の文字と同様な発音がない場合、発音記号の標示は付けられない。例えば、“ｇｏ”の文字“ｇ”と“ｏ”には標示を付けない。
【００６６】
２．文字に発音記号が標示された場合、その文字は、発音記号に代表されるのと同様に発音される。例えば、
【００６７】
2007512576.tif 000030
における“ｅ”は“ｅ半音”となる。
【００６８】
３. 音節の第１文字の下に引かれた線は、音節のアクセントの度合を示す。
【００６９】
４. 全音指示記号
【００７０】
2007512576.tif 000031
にて標示された母音文字の組合せの場合、これら母音文字は所定の発音の規制を受ける。下記の記号は既定の全音と認められる。
【００７１】
2007512576.tif 000032
【００７２】
５．英語単語の文字における発音には、或る程度の規則があり、どの文字にも発音記号を標示できるとは限らない。一番普通の例として“coke”の“ｅ”は発音しない。もう１つの例は“tion”の付いた字、例えば“location”は通常、同じように発音される。結局、教材として応用される場合、記号の標示は学習者のレベルを本に簡略化するのである。これにより、直接に標示の付いた実際の文字は、相異なるレベルの英語単語教材にも適用できるものである。
【００７３】
６．直接標示の付いた実際の文字の一例として、
【００７４】
2007512576.tif 000033
が挙げられる。
【００７５】
この音標系統は印刷した文献、実際のメディア、またその他のメディアにも応用でき、この英語音標で学習者に伝達できるものである。
【００７６】
この方面の知識に精通した者なら、上記の実施例は、本発明の一部分の例示であって、本発明の実施範囲を制限するものではないことが分かっていただけると思う。
【００７７】
本発明は、本発明の技術的思考から逸脱することなく、他の種々の形態で実施することができる。上述の実施例はあくまでも、本発明の技術内容を明らかにするものであって、そのような具体例のみに限定して、本発明を狭義に解釈すべきものではなく、本発明の精神と特許請求の範囲内で色々と変更して実施することができるものである。
【国際調査報告】
2007512576.tif 000041
2007512576.tif 000042
2007512576.tif 000043